(57)【要約】【課題】便器に取り付けられ、自然音や音楽等の人工音等を聞きながら快適に小用が足せ、便器周囲を汚さず、トイレルームを清潔に保つことができる音響発生便器装置を提供する。【解決手段】スピーカー２１を含む音響出力部を備え、該音響出力部を作動させるコントローラ６を内蔵した音響装置２を便器本体１に設けてなり、該便器本体１の背壁部１２内側の小便が衝突する位置には標的３が設けられ、該標的３は小便が衝突した際、該衝突を検知するセンサを主体として構成されるとともに、上記コントローラ６はセンサからの小便検知信号を受信して音響出力部に音響鳴動を指令し、所定の音響を鳴動させる音響発生便器装置。【選択図】図１
2009174234.tif 000002
【特許請求の範囲】
【請求項１】
スピーカーを含む音響出力部を備え、該音響出力部を作動させるコントローラを内蔵した音響装置を便器本体に設けてなり、該便器本体の背壁部内側の小便が衝突する位置には標的が設けられ、該標的は小便が衝突した際、該衝突を検知するセンサを主体として構成されるとともに、上記コントローラはセンサからの小便検知信号を受信して音響出力部に音響鳴動を指令し、所定の音響を鳴動させる音響発生便器装置。
【請求項２】
上記標的の主体であるセンサからの信号を送信する送信部が、標的が設けられた便器本体の背壁部外側に設けられたものである請求項１に記載の音響発生便器装置。
【請求項３】
上記音響装置に人体検知センサを備えてなる請求項１に記載の音響発生便器装置。
【請求項４】
上記標的が示温塗料で塗装されたものである請求項１に記載の音響発生便器装置。
【発明の詳細な説明】
【技術分野】
【０００１】
本願発明は、便器装置に係り、さらに詳しくは、便器に取り付けられ、排泄音を消音するとともに、心地よい音響を発生する装置を備えた便器装置に関するものである。
【背景技術】
【０００２】
近年、トイレルームにおいても便利さ、快適さ、使用感の良さ等が求められ、トイレルームに使用者が入ると人体検知センサが作動し、便器の便蓋が自動的に起立し、トイレの使用が終わると人体検知センサが無人であることを検知して便蓋を自動的に閉じるトイレが提案されている。
【０００３】
一方、閉じられた空間であるトイレルームでリラックスして時間を過ごせるように、また、排泄音をマスキングするために、演奏音や自然音等の音を出力させるトイレ用音響装置も知られている。すなわち、人が便器を使用することをセンサが検知するとスピーカーから快適な音楽が流れ、用を済ませて人が検知されなくなると、音量が徐々に小さくなるようにし、やがて停止するフェードアウト方式のトイレ用音響装置が提案されている。
【０００４】
特開２００５−２０７０７２号公報には、トイレルーム内に音を音量低下開始時点が到来するまで出力し、その後徐々に音量を低下させて停止するフェードアウト方式のトイレ用音響装置において、該音量低下開始時点から音停止までの時間を変更する変更手段を備えたことを特徴とするトイレ用音響装置が開示されている。
【０００５】
また、実開平６−７４６７６号公報には、排泄音を集音するマイクと、該マイクで集音された周波数領域の信号レベルと予め設定した規準レベルとを比較する比較器と、該比較器の比較結果に応じて擬音発生回路が作動可能になされたことを特徴とする自動擬音発生装置が開示されている。そして、使用者が操作しなくても、排泄中は常に自動的に、洗浄水の流出音に似た擬音を発生させることができ、排泄とのタイミングに合わせて擬音発生装置のスイッチを操作するという煩わしい操作が要らなくなると、その効果が記載されている。
【特許文献１】特開２００５−２０７０７２号公報
【特許文献２】実開平６−７４６７６号公報
【発明の開示】
【発明が解決しようとする課題】
【０００６】
しかしながら、上記特許文献１に記載のトイレ用音響装置、特許文献２に記載の自動擬音発生装置にあっては、いずれも複雑な構造を有し、コスト的に有利に製造することが困難であるという問題がある。本願発明は、上記背景技術に鑑みてなしたものであり、その目的とするところは、便器に取り付けられ、小川のせせらぎや小鳥の鳴き声や音楽等を聞きながら心地よく小用を足せるとともに、便器周囲を汚さず、トイレルームを清潔に保つことができる音響発生便器装置を提供することである。
【課題を解決するための手段】
【０００７】
上記課題を解決するために、本願請求項１記載の発明に係る音響発生便器装置は、スピーカーを含む音響出力部を備え、該音響出力部を作動させるコントローラを内蔵した音響装置を便器本体に設けてなり、該便器本体の背壁部内側の小便が衝突する位置には標的が設けられ、該標的は小便が衝突した際、該衝突を検知するセンサを主体として構成されるとともに、上記コントローラはセンサからの小便検知信号を受信して音響出力部に音響鳴動を指令し、所定の音響を鳴動させることを特徴としている。
【０００８】
本願請求項２記載の発明は、上記請求項１記載の音響発生便器装置において、上記標的の主体であるセンサからの信号を送信する送信部が、標的が設けられた便器本体の背壁部外側に設けられたことを特徴としている。
【０００９】
本願請求項３記載の発明は、上記請求項１記載の音響発生便器装置において、上記音響装置に人体検知センサを備えたことを特徴としている。
【００１０】
本願請求項４記載の発明は、上記請求項１記載の音響発生便器装置において、上記標的が示温塗料で塗装されたことを特徴としている。
【発明の効果】
【００１１】
本願請求項１記載の発明に係る音響発生便器装置においては、スピーカーを含む音響出力部を備え、コントローラを内蔵した音響装置が便器本体に設けられてなり、該便器本体の背壁部内側の小便が衝突する位置に設けられたセンサを主体としてなる標的が、小便が衝突した際、該衝突を検知し、上記コントローラはセンサからの小便検知信号を受信して音響出力部に音響鳴動を指令し、所定の音響を鳴動させるため、小川のせせらぎ等の自然音、音楽等の人工音等、各種の音響を流すことができる。そして、これら音響によって、小便の流出音がマスキングされるとともに、使用者に快適感を与え、心地よく小用を足すことができる。
【００１２】
本願請求項２記載の発明に係る音響発生便器装置においては、特に、標的の主体であるセンサからの信号を送信する送信部が、標的が設けられた便器本体の背壁部外側に設けられているため、センサが発生する微弱な出力を最短距離で感度よく受信し、増幅してコントローラに送信することができる。
【００１３】
本願請求項３記載の発明に係る音響発生便器装置においては、特に、上記小便が衝突した際、衝突を検知するセンサに加え、別途、人体検知センサを備えることにより、通常は上記した小便検知用のセンサによる小便検知回路の電源をオフとし、人体を検知したときのみ、上記小便検知回路への電源をオンとすることにより、むだな電力の消費をなくすことができる。
【００１４】
本願請求項４記載の発明に係る音響発生便器装置においては、特に、上記標的が示温塗料で塗装されたものであり、小便が当たるとその温度により標的の温度が上がり、示温塗料の色が、例えば、黒からピンクに変わるとともに、音響が流れるため、男性のこども心を刺激し、標的を目がけて放尿することにより、便鉢からこぼすことなく便器の周囲を清潔に保つことができる。
【発明を実施するための最良の形態】
【００１５】
図１は、男性用の小便器Ａに本願発明に係る音響発生便器装置を適用した実施形態を示す外観斜視図である。図１に示すように、上記音響発生便器装置は、便器本体１の天面１１に音響装置２を備えてなり、便器本体１の背壁部１２内側の使用者が小用を足したとき、小便が最も衝突し易いと思われる位置にセンサを主体として構成された標的３が設けられている。また、便器本体１の背壁部１２の標的３に対応する外側には上記標的３に小便が当たったとき、センサからの微弱な信号を受信して増幅し、増幅された信号をコントローラに送信する送信部４が設けられている。
【００１６】
上記標的３を構成するセンサとしては、例えば、標的３に小便が当たったときの衝撃で発生する振動を検知する振動検知センサ、圧力を検知する圧力検知センサ、歪検知センサ、小便の温度による標的３の昇温を検知する昇温検知センサ、小便の排泄音を検知する音検知センサ等、各種のものをあげることができる。
【００１７】
音響装置２は、スピーカー２１とスピーカー２１から音響を出力させるためのアンプ等の出力回路を含む音響出力部を備え、音響装置２のパネル上には人体検知センサ５が取り付けられている。また、コントローラ６は音響装置２に内蔵されるとともに、送信部４からの信号を受信して上記音響出力部に音響出力発信を指令し、所定の音響を選択して鳴動させたり、電源のオン、オフ等の諸動作を行うようにコントロールする。
【００１８】
ここで、図１において、音響装置２は便器本体１の天面１１上に設けられているが、天面１１の下面に取り付けることも可能である。また、背壁部１２の上部に設けてもよい。図２は、上記音響装置２を便器本体１背壁部１２の上部に設けた形態を示す正面図である。このようにすることにより、音響装置２が使用者の視野から隠れて外観意匠がすっきりとしたものとなり、また、音響が便器本体１の内部から流れるため、違和感なく心地よく小用を足すことができる。
【００１９】
図３は、本願発明に係る音響発生便器装置の構成を分解して示す説明図である。図３に示すように、便器本体１の背壁部１２の内側には上記標的３が設けられ、背壁部１２の標的３に対応する外側には、標的３の主体であるセンサからの信号を送信する送信部４が設けられている。ここで、標的３に小便が当たると上記センサからの信号は送信部４に送られ、送信部４は受信した信号を電気信号に変換・増幅して上記コントローラ６に送信する。
【００２０】
コントローラ６は、上記信号を受信するとメモリーチップ６１に記憶させた音響の中から所定の音響を選択するとともに、スピーカー２１を含む音響出力部に出力するように指令し、スピーカー２１から上記音響が鳴動するようにコントロールする。また、音響装置２のパネル上に人体検知センサ５を設けることも可能であり、人体検知センサ５が人体を検知した後、初めて音響が鳴動するように回路を設定することもできる。
【００２１】
上記した音響はとくに限定されることはなく、小川のせせらぎ、小鳥の鳴き声等の自然音、演奏音、洗浄水の流出擬音等の人工音等、各種の音響をあげることができる。この音響によって、小便の流出音が消音されるとともに、使用者は心地よく小用を足すことができる。
【００２２】
図４は上記した人体検知センサ５による人体検知回路を組み込んだコントローラ６の回路を示すブロック図である。
【００２３】
まず、図１に示す人体検知センサ５が人体の有無の検知を行い、使用者有りと判断したとき、図４に示すように、コントローラ６は、小便検知回路をオンとする。ついで、小便が当たったとき、例えば、そのときの衝撃で発生する振動を検知する振動検知センサを主体とする標的３からの信号を受信すると、コントローラ６は、放尿開始と判断してスピーカー２１を含む音響出力部に音響が鳴動するように指令する。
【００２４】
音響出力部は上記指令に従って立ち上がり、メモリーチップ６１に記憶された音響の中より所定の音響を選択し、アンプ等を含む音響出力部の出力回路をオンとし、スピーカー２１から音響が流れる。音響出力部は、標的３の主体であるセンサの感度がある間はオンの状態に保たれるが、標的３の主体であるセンサの感度がなくなるとオフとされ、小便検知回路もオフとされて当初のスタートの状態に戻る。
【００２５】
ここで、標的３を温度によって色が変化する示温塗料を用いて塗装し、小便の温度により色が変化するようにしてもよい。このように、標的３の色が変化するとともに、音響が鳴動することにより、男性のこども心を刺激して標的を目がけて放尿するため、便鉢以外に放尿することがなく、小便器Ａの周囲を清潔に保つことができる。
【００２６】
図５は、図１に示す男性用の小便器Ａに替えて洋式便器Ｂに本願発明に係る標的３を設けた形態を示す外観斜視図である。このとき、図５に示されているように、標的３は洋式便器Ｂ内の溜め水Ｗの上方に設けられている。また、音響装置２は、図５に示すように洋式便器Ｂの外側面に設けられているが他の場所、例えば、洋式便器Ｂの本体内に形成された給水路空間、便器本体の下部に備えられたスカート部の内側空間等、便器本体内に形成された空間に適宜内設されてもよい。
【００２７】
以上述べたように、本願発明にかかる音響発生便器装置を使用することにより、効果的に小便の排泄音を消音することができるとともに、心地よくトイレを使用することができる。また、便器本体回りを清潔に保つことができる。さらに、標的３そのものの形を蠅、蝶、トンボ等の興味を引く形に形成して、男性の好奇心を刺激してもよい。このように、本願発明は設計変更自在であり、特許請求の範囲を逸脱しない限り、本願発明の技術的範囲に属する。
【図面の簡単な説明】
【００２８】
【図１】男性用の小便器に本願発明に係る音響発生便器装置を適用した実施形態を示す外観斜視図。
【図２】音響装置を便器本体の背壁部の上部に設けた形態である本願発明に係る音響発生便器装置を示す正面図。
【図３】本願発明に係る音響発生便器装置の構成を分解して示す説明図。
【図４】人体検知センサによる人体検知回路を組み込んだコントローラの回路を示すブロック図。
【図５】洋式便器に本願発明に係る標的を設けた実施形態を示す外観斜視図。
【符号の説明】
【００２９】
Ａ      男性用小便器
１      便器本体
１１    天面
１２    背壁部
２      音響装置
２１    スピーカー
３      標的
４      送信部
５      人体検知センサ
６      コントローラ
６１    メモリーチップ
Ｂ      洋式便器
Ｗ      溜め水
【図１】
2009174234.tif 000003
【図２】
2009174234.tif 000004
【図３】
2009174234.tif 000005
【図４】
2009174234.tif 000006
【図５】
2009174234.tif 000007